(57)【要約】【課題】  主脚材の頂部に取り付けるだけで、熟練を要さずに常時簡単に主脚材の転び寸法、脚の向き及び高さなどの配置を測定することのできる鉄塔主脚材据付チェック器具を提供する。【解決手段】  鉄塔の基礎に据え付けられた主脚材（１０）の配置を測定するために用いる鉄塔主脚材据付チェック器具であって、主脚材の頂部の端面（１０ａ）に載置する脚部（２１ａ，２１ｂ）を有する本体（２０）を備え、該本体は、（Ａ）前記主脚材の転び寸法を測定するために用いられる下振の糸部分を保持する下振保持部、（Ｂ）前記主脚材の面方向を測定するために、前記本体の上板の中央に配置されたスケール（４０）、および、（Ｃ）前記主脚材の高さを測定するために、前記本体の上板から上方に向けて鉛直に配置されるスケール（５０）、の少なくとも１つを備えてなる鉄塔主脚材据付チェック器具。【選択図】          図３
2006170755.tif 000002
【特許請求の範囲】
【請求項１】
鉄塔の基礎に据え付けられた主脚材（１０）の配置を測定するために用いる鉄塔主脚材据付チェック器具であって、前記主脚材（１０）の頂部の端面（１０ａ）に載置する脚部（２１ａ，２１ｂ）を有する本体（２０）を備え、該本体（２０）は、
（Ａ）前記主脚材（１０）の転び寸法を測定するために用いられる下振（１９）の糸部分を保持する下振保持部（３０）、
（Ｂ）前記主脚材（１０）の面方向を測定するために、前記本体（２０）の中央に配置されたスケール（４０）、および、
（Ｃ）前記主脚材（１０）の高さを測定するために、前記本体（２０）から上方に向けて鉛直に配置されるスケール（５０）、
の少なくとも１つを備えてなることを特徴とする鉄塔主脚材据付チェック器具。
【請求項２】
前記本体（２０）は、アングル材からなる主脚材（１０）の側面に重なって配置するように直角二等辺三角形状に屈曲した側板（２２ａ，２２ｂ）と、該側板（２２ａ，２２ｂ）の面に対して直角方向に延びて前記主脚材（１０）の頂部の端面（１０ａ）に当接して載置する板体からなる脚部（２１ａ，２１ｂ）とを備えてなる請求項１に記載の鉄塔主脚材据付チェック器具。
【請求項３】
前記本体（２０）は、前記側板（２２ａ，２２ｂ）を前記主脚材（１０）の側面に重ねて保持するための保持手段（２３ａ，２３ｂ）を備えている請求項２に記載の鉄塔主脚材据付チェック器具。
【請求項４】
前記本体（２０）は、（Ａ）前記主脚材（１０）の転び寸法を測定するために用いられる下振（１９）の糸部分を保持する下振保持部（３０）を備え、該下振保持部（３０）は、前記側板（２２ａ，２２ｂ）の屈曲部（２４）に設けられている請求項２または３に記載の鉄塔主脚材据付チェック器具。
【請求項５】
前記本体（２０）は、（Ｂ）前記主脚材（１０）の面方向を測定するために、前記本体（２０）の中央に配置されたスケール（４０）を備え、該スケール（４０）は、前記側板（２２ａ，２２ｂ）の両端の間を接続する仮想線と平行に架け渡された帯状部材（４１）と、該帯状部材（４１）の中央に配置されたスケール部（４２）とからなる請求項２または３に記載の鉄塔主脚材据付チェック器具。
【請求項６】
前記本体（２０）は、（Ｃ）前記主脚材（１０）の高さを測定するために、前記本体（２０）から上方に向けて鉛直に配置されるスケール（５０）を備え、前記スケール（５０）は、前記本体（２０）に対する角度を調節することができるように取り付けられている請求項２または３に記載の鉄塔主脚材据付チェック器具。
【請求項７】
請求項１〜６の何れか１項に記載の鉄塔主脚材据付チェック器具を、その脚部（２１ａ，２１ｂ）を鉄塔の基礎に据え付けられた主脚材（１０）の頂部の端面（１０ａ）に載置し、鉄塔の塔心と主脚材の据付位置とを通過する水糸又は該チェック器具に連結された下振を用いて、主脚材の転び寸法、脚の向き又は高さを測定することを特徴とする鉄塔主脚材の配置測定方法。
【発明の詳細な説明】
【技術分野】
【０００１】
本発明は、鉄塔の基礎に据え付けられた主脚材の転び寸法、脚の向き（面方向）及び高さなどの配置を容易に測定することのできる鉄塔主脚材据付チェック器具に関する。
【背景技術】
【０００２】
鉄塔の基礎材である主脚材は、掘削穴の設計値深さまでコンクリートを打設することにより整地された掘削穴の底部に据付架台（ブロック）を正確に配置した後、この据付架台上に数ミリメートルのオーダーで正確に配置しなければならない。一般には、図４（ａ）に示されるように、掘削穴１１の底部の所定位置に据付架台１２を正確に配置した後、下端にアンカー材１３が取り付けられた主脚材１０を据付架台１２の上に降ろし、主脚材１０の頂部付近に２つの支持材１６を直角に配置し、主脚材１０のボルト穴を利用して支持材１６を取り付けるとともに、主脚材１０の下端を据付架台１２の所定位置に配置する。そして、主脚材１０の頂部を対角水糸の方向と高さに合わせ、所定の位置になったときに支持材１６の根元にくい１７及び１８を打ち込み仮止めする。主脚材１０の下端は丸太１４ａ，１４ｂを用いて掘削穴に仮止めする。そして、鉄塔の転び寸法、脚の向き及び高さなど精密に測定する作業が行われる。
【０００３】
鉄塔の転び寸法の精密測定は、図４（ｂ）に示されるように、主脚材１０の頂部から下振１９を下げ、主脚材１０の下端の切口内側に折尺又は板定規（図示せず）を当てて、下振１９が所定の寸法及び方向に合致するまで主脚材１０を移動させることにより行われる。
【０００４】
鉄塔の脚の向きの精密測定は、図４（ｃ）に示されるように、主脚材１０の頂部の両端部に折尺４を当て、塔心を通過する対角水糸が折尺４の中央と主脚材１０の角部を通過するように（すなわち、図示でｌ１＝ｌ２となるように）、主脚材１０の方向を調節することにより行われる。
【０００５】
【特許文献１】特開平６−２４１８０６号公報
【発明の開示】
【発明が解決しようとする課題】
【０００６】
しかし、従来の精密測定は、上述のとおり水糸と折尺又は板定規を用いたものであるため、ある程度の熟練を要し、測定者によって若干のバラツキが生じることもある。
【０００７】
そこで、本発明は、主脚材の頂部に取り付けるだけで、熟練を要さずに常時簡単に主脚材の転び寸法、脚の向き及び高さなどの配置を測定することのできる鉄塔主脚材据付チェック器具を提供することを目的とする。
【課題を解決するための手段】
【０００８】
本発明によれば、鉄塔の基礎に据え付けられた主脚材の配置を測定するために用いる鉄塔主脚材据付チェック器具であって、前記主脚材の頂部の端面に載置する脚部を有する本体を備え、該本体は、（Ａ）前記主脚材の転び寸法を測定するために用いられる下振の糸部分を保持する下振保持部、（Ｂ）前記主脚材の面方向を測定するために、前記本体の中央に配置されたスケール、および、（Ｃ）前記主脚材の高さを測定するために、前記本体から上方に向けて鉛直に配置されるスケール、の少なくとも１つを備えてなることを特徴とする鉄塔主脚材据付チェック器具が提供される。
【０００９】
本発明の鉄塔主脚材据付チェック器具は、それを主脚材の頂部の端面に配置させるために、前記本体に脚部が備わっていれば良く、該脚部は、主脚材の頂部の端面に配置する限り、如何なる形状でもよい。前記本体は、主脚材の側面に重なって配置する側板を備えていることが好ましく、この場合、脚部は側板と角度を為して連接した板体とすることができる。このような側板は、主脚材の側面のうち、外側面又は内側面の何れに重なって配置するものであってもよい。また、前記本体は、該側板と主脚材の側面との重なり合いを保持して位置ずれを防止するための保持手段を備えていることが好ましい。
【００１０】
また、本発明の他の局面によれば、上記本発明の鉄塔主脚材据付チェック器具を、その脚部を鉄塔の基礎に据え付けられた主脚材の頂部の端面に載置し、鉄塔の塔心と主脚材の据付位置とを通過する水糸又は該チェック器具に連結された下振を用いて、主脚材の転び寸法、脚の向き又は高さを測定することを特徴とする鉄塔主脚材の配置測定方法が提供される。
【発明の効果】
【００１１】
本発明によれば、本発明の鉄塔主脚材据付チェック器具を主脚材の頂部の端面に載置するだけで、水糸や下振と主脚材との位置関係を容易に測定することができるので、熟練を要さずに正確に主脚材の配置を確認でき、したがって、主脚材を効率良く正確に据え付けることができる。
【発明を実施するための最良の形態】
【００１２】
以下、本発明を図示の具体例に基づいて説明するが、本発明は該具体例のみに限定されるものではない。
【００１３】
図１は、本発明の鉄塔主脚材据付チェック器具を示す斜視図である。図１において、２０は鉄塔主脚材据付チェック器具の本体を示し、該本体２０は、直角二等辺三角形の２つの等辺を形成するように屈曲してＶ字形に連接した２つの側板２２ａ，２２ｂを備えている。なお、本明細書において、側板２２ａ，２２ｂの互いに対向してＶ字形の谷を形成する面を内面といい、その裏側の互いに山を形成する面を外面という。また、本明細書において、図３に示されるアングル材からなる主脚材１０についても、同様に、Ｖ字形の谷を形成する側面を内側面といい、その裏側の互いに山を形成する側面を外側面といい、内側面及び外側面を総称して側面という。
【００１４】
これらの側板２２ａ，２２ｂは、それぞれの上縁から該側板２２ａ，２２ｂの内面に対して直角方向に互いに近接するように張り出した板体からなる上板２１ａ，２１ｂを備え、この上板２１ａ，２１ｂが脚部を構成する。これらの上板２１ａ，２１ｂは、側板２２ａ，２２ｂの上縁の端部寄りの部分に設けられており、側板２２ａ，２２ｂの屈曲部２４に隣接する部分には設けられていない。また、これらの上板２１ａ，２１ｂは、各端部寄りの第一の部分と、屈曲部２４寄りの第二の部分とからなり、第一の部分は張り出し寸法が小さい帯状の形状を備え、第二の部分は第一の部分よりも張り出し寸法が大きく、さらに側板２２ａ，２２ｂと平行して対向するように屈曲した折曲片２５ａ，２５ｂを備えている。図示の例では、上板２１ａ，２１ｂ、側板２２ａ，２２ｂ及び折曲片２５ａ，２５ｂは鋼製とされ、例えば、予め所定の形状に裁断された鋼板を図示の形状に折り曲げたり、プレスすることにより作製することができる。
【００１５】
側板２２ａ，２２ｂは、その両端部間にスケール４０が架け渡されている。このスケール４０は帯状部材４１からなり、この帯状部材４１の中央には、該中央を０としてそこから両側への距離を示す目盛が刻まれたスケール部４２が配置されている。帯状部材４１は、図示の配置にかかわらず、側板２２ａ，２２ｂの両端の間を接続する仮想線と平行に配置されればよく、スケール部の０を示す地点は、該仮想線に直交するとともに屈曲部２４を通過する線上に配置される。図示の例では、スケール４０は、鋼製の帯状部材４１を上板２１ａ，２１ｂ上に溶接することによって取り付け、帯状部材４１の上面中央にスケール部４２を正確に貼り付けることによって形成されている。しかし、スケール４０は、例えば、スケール部４２が予め刻印された帯状部材４１を本体２０に正確に接続することによって形成することもできる。
【００１６】
図２に最も良く示されるように、折曲片２５ａ，２５ｂのそれぞれの略中央部には蝶ねじ２３ａ，２３ｂのねじ竿を螺合させるための雌ねじ穴２９が設けられている。この蝶ねじ２３ａ，２３ｂは、主脚材の内側面に当接して、側板２２ａ，２２ｂを主脚材の外側面に重ねて保持するための保持手段を構成する。しかしながら、該保持手段は、図示の態様に限定されるものではなく、例えば、側板２２ａ，２２ｂの内面に磁石を取り付けることにより、主脚材１０の外側面に吸着するように構成することもできる。
【００１７】
また、図２から明らかなように、側板２２ａ，２２ｂの屈曲部２４の外面には、概略逆Ｕ字形の鋼製フック３０が、その湾部３１を下方に開口するようにして取り付けられている。図示の例では、フック３０は溶接部３２によって屈曲部２４の頂部に連結されている。後述するとおり、このフック３０には、下振１９の糸部分を係止させることができ、下振保持部として利用できる。なお、下振保持部は、下振１９の糸部分を保持するものであれば、図示の態様に限られず、本体２０のいかなる部分に設けられてもよいが、側板２２ａ，２２ｂの外面に設けることが好ましい。
【００１８】
図２から明らかなように、一方の側板２２ｂの外面には、屈曲部２４寄りの箇所から外方に張り出した段部２６が設けられている。図示の例では、この段部２６は、断面Ｃ形の部材の脚部を溶接部２７によって連結することにより形成されている。そして、側面２２ｂと平行に延びる段部２６の面には、雌ねじ穴２９と同様の雌ねじ穴２８が設けられており、この雌ねじ穴２８を用いて、主脚材の高さを測定するために用いられるスケール５０を本体２０に取り付けることができる。図示の例では、スケール５０は、その長手方向と交差する方向に延びるように設けられたアーム片５１を備え、アーム片５１に設けられた長穴５２に蝶ねじ５４のねじ竿を挿通させて雌ねじ穴２８に螺合させることにより取り付けることができる。雌ねじ穴２８と長穴５２の相対的な配置を変更することによって、スケール５０を長穴５２の許容する範囲で揺動させることができる。図示の例では、アーム片５１はＬ字状に折り曲げられた鋼板からなり、該鋼板の一端部にスケール５０として金尺が溶接部５３により取り付けられ、他端部付近に長穴５２が設けられており、図１に示されるように、スケール５０を本体２０に取り付けた時に、スケール５０の目盛部分が屈曲部２４の上方に起立するようにされている。なお、スケール５０は、鉛直に配置できる限り本体２０の何れの箇所に設けても良いが、使用時に水糸と近接して位置することが望ましいので、図示のように目盛部分が屈曲部２４の上方に起立するように配置されることが好ましい。また、スケール５０は、例えば、伸縮ロッドアンテナのように数段の入れ子式の部分からなる伸び縮み可能な構造としてもよい。
【００１９】
本発明の鉄塔主脚材据付チェック器具を用いることにより、鉄塔の主脚材の転び寸法、脚の向き及び高さを下記のようにして測定することができる。すなわち、図３に示されるように、図１の鉄塔主脚材据付チェック器具を、鉄塔の基礎に据え付けられたアングル材からなる主脚材１０の頂部の端面１０ａに載置させる。この時、本体２０の上板２１ａ，２１ｂの下面が端面１０ａに当接するとともに、側板２２ａ，２２ｂが主脚材１０の外側面に重なるように配置される。そして、蝶ねじ２３ａ，２３ｂを回してそのねじ竿の先端を主脚材１０の内側面に堅固に当接させることにより、鉄塔主脚材据付チェック器具を主脚材１０に固定できる。なお、主脚材１０の端面１０ａは、主脚材１０の長手方向軸線と直交する面を形成しているので、上板２１ａ，２１ｂの下面全体は端面１０ａに密着して当接して安定に載置する。この密着性を確保するために、予め、端面１０ａに異物が付着していないか確認することが肝要であり、異物が付着している場合は、端面１０ａを清掃する必要がある。
【００２０】
そして、主脚材１０の転び寸法を測定する場合は、下振の糸部分をフック３０に係合させて保持させ、図４（ｂ）に示されると同様に、下振１９を端面１０ａの隅角部から垂下させることにより、従来と同様の方法で転び寸法を測定することができる。図示の具体例では、上板２１ａ，２１ｂは端面１０ａの隅角部まで達しておらず、該隅角部を覆っていないので、下振１９を容易に端面１０ａの隅角部から垂下させることができ、好都合である。
【００２１】
主脚材１０の面方向を測定する場合、屈曲部２４を通過した水糸が、スケール４０のスケール部４２を通過する目盛の数値を読み取ればよい。水糸が、スケール部４２の中央、すなわち、目盛が０の部分を通過しない場合は、スケール部４２の中央を通過するように主脚材１０の向きを変更すればよく、その際、スケール４０を参照しながら主脚材１０を動かすことで、容易に正確な位置決めをすることができる。
【００２２】
主脚材１０の高さを測定する場合、スケール５０を揺動させて鉛直に配置させた状態で蝶ねじ５４によって固定し、屈曲部２４の高さと水糸との高さの差異をスケール５０で読み取ればよい。屈曲部２４と水糸との高さに差異が所定の値と異なる場合、スケール５０を参照しながら主脚材１０の高低を調節することにより、主脚材１０の高さの正確な位置決めを容易に行うことができる。なお、スケール５０が鉛直に配置したことを容易に判定できるように、スケール５０の頂部などの適当な箇所に水準器を設けてもよい。別法として、スケール５０を錘を付けて垂下させる構成として、スケール５０が自動的に鉛直に配置するようにしてもよい。
【００２３】
図示の例では、主脚材１０がアングル状の場合について説明したが、本発明は図示の構成に限られるものではなく、主脚材１０がパイプ状のものである場合も、図示の鉄塔主脚材据付チェック器具をパイプ状主脚材１０に適用できるように適宜改変することによって、同様に主脚材の転び寸法、脚の向き及び高さを容易に測定することができる。また、図示の例では、鋼製の鉄塔主脚材据付チェック器具について説明したが、本発明の鉄塔主脚材据付チェック器具は、例えば、プラスチック等の他の成形可能な材料で作製することもできる。
【産業上の利用可能性】
【００２４】
本発明は、鉄塔の基礎に据え付けられた主脚材の転び寸法、脚の向き及び高さなどの配置を容易に測定可能にするとともに、該配置の正確な位置決めを容易にするものであり、鉄塔建設の分野において有用である。
【図面の簡単な説明】
【００２５】
【図１】本発明の鉄塔主脚材据付チェック器具の具体例を示す斜視図である。
【図２】図１の鉄塔主脚材据付チェック器具を他の角度から見た分解斜視図である。
【図３】図１の鉄塔主脚材据付チェック器具を使用状態で示す斜視図である。
【図４】鉄塔の基礎に主脚材を据え付ける方法、及び、主脚材の転び寸法、脚の向きなどの配置を測定する従来の方法を示す説明図である。
【符号の説明】
【００２６】
１０…主脚材、１０ａ…端面、１９…下振、２０…本体、２１ａ，２１ｂ…上板、２２ａ，２２ｂ…側板、２３ａ，２３ｂ…蝶ねじ、２４…屈曲部、２５ａ，２５ｂ…折曲片、３０…フック、４０…スケール、５０…スケール。
【図１】
2006170755.tif 000003
【図２】
2006170755.tif 000004
【図３】
2006170755.tif 000005
【図４】
2006170755.tif 000006